(57)【要約】      （修正有）【課題】壁等の側面に籠側面が密着可能になり隅等のゴミを綺麗に処理することが出来、籠のゴミが綺麗に外部に処理できるチリトリを提供する。【解決手段】籠１４の左右に突出し取り付けられているハンドル９，１０左右両側面の幅よりも籠下方左右両側面の幅を広く設け、また、ポール２，３にガイド溝６，７を設けハンドルの紐取付部に紐２０を取り付け、紐と取付部をガイド溝に挿入し、紐はガイド溝を介して籠上面に設けた紐の取付部２７に取り付けている。【選択図】図１
2011120769.tif 000002
【特許請求の範囲】
【請求項１】
籠に蓋を上下回動可能に取り付けたチリトリ本体と、籠上下回動可能に吊り下げるアームと、アームを前後回動に取り付けたポールと、ポールに沿って上下移動可能なハンドルと、ハンドルと籠の上面との間に架け渡した紐と、蓋とアーム上部との間に架け渡したアームとより構成し、前記ハンドルをポールに沿って下方から上方へ移動させたとき紐に引っぱられて籠が上方へ回動し蓋が開く構成としたことを特徴としたチリトリ。
【請求項２】
前記アームは、チリトリ本体の左右両側面より後退した位置に取り付けたことを特徴とする請求項１記載のチリトリ。
【発明の詳細な説明】
【技術分野】
【０００１】
本発明は、籠を上下回動可能に吊り下げるアームは、チリトリ本体の左右両側面より後退した位置に取り付けられていることにより、籠の側面が壁等の側面に密着可能となり、さらに、ポールに沿って上下移動可能なハンドルと、ハンドルと籠の上面との間に架け渡した紐と、蓋とアーム上部との間に架け渡したアームとより構成し、前記ハンドルをポールに沿って下方から上方へ移動させたとき紐に引っぱられて籠が上方へ動可し蓋が開くチリトリに関する。
【背景技術】
【０００２】
従来のチリトリは、籠のゴミを処理する場合、籠の下方を手で上方に持ち上げて処理する方法以外はなく不衛生的であった。
【０００３】
また.左右両側面に取り付けられているアームが側面より突出しているため籠の側面を壁等の側面に密着できず、隅のゴミを一度で綺麗に取ることが困難であった。
【発明の開示】
【発明が解決しようとする課題】
【０００４】
以上述べたように従来は籠のゴミを処理する場合、籠の下方を上方に持ち上げる方法以外はなく、また、籠の左右両側面に設けられているアームが突出しているため側面を壁等に密着できないという問題点があった。
【０００５】
本発明は従来のチリトリの構成が有していた問題点を解決しようとするものである。籠の下方の側面が壁等に密着可能になり、さらに、ポールのガイド溝に紐を取り付けたハンドルを設けおり、紐はガイド溝を介して籠の上面に設けられている紐取付部に取り付け、ハンドルを上方に移動させると、籠の下方が持ち上がることによりゴミ処理が簡単に可能となり手を汚すことのない衛生的なチリトリを目的とするものである。
【課題を解決するための手段】
【０００６】
上記問題点を解決するために本発明のチリトリに付いて説明すると、図１から図５までに示されている、籠１４に蓋１５とアーム１３で上下回動可能に取り付けたチリトリ本体と、籠１４の左右両側面２１の取付部２８に上下回動可能に吊り下げるアーム１２と、さらに、アーム１２は前後回動にポール２，３に取り付けられており、また、ポール２，３には、紐１５取付部２９，３０を設けられたハンドル９，１０の紐２０と取付部２９，３０を図２，３に示されている上方開口部２５に挿入し取手１を固着３５し、紐２０はガイド溝６，７を介して紐２０の先端部は図９に示されている籠１４の上面の取付部２７に回動可能に設けられている。そして、蓋１５とアーム１２上部との間に架け渡したアーム１３とより構成されており、前記ハンドル９，１０をポール２，３のガイド溝６，７に沿って下方から上方へ移動させたとき紐２０に引っぱられて籠１４の下方が上方へ回動し蓋１５が開く構成としたことを特徴としたチツイリトリであり。
【０００７】
また、図６から図８に示されているチリトリの場合も同様な構成であるが、紐２０取付部３１は図８に示されているように、ポール５の外側に設けられており、図４，５に示されているガイド溝６，７は設けられておらず、ハンドル１１はポール５の外側を上下方に移動するよう設けられたチリトリである。
【０００８】
また、図１，６に示される籠１４の左右両側面２１に取り付けられているアーム１２は、下方左右両側面の幅よりも後退した後退した位置に取り付けられている。
【０００９】
上記のように構成されているチリトリは、籠の下方側面が壁等に蜜着可能になることにより、隅々のゴミが一度で綺麗に処理可能となる。また従来のチリトリの場合は、籠のゴミを処理する場合、籠の下方を手で上方に持ち上げる手段しかなかったが、本チリトリの場合は、立った状態のままでポールに設けられているハンドルを手で上方へ移動させるだけで手を汚すことなく簡単にゴミを処理することが可能になったチリトリである。
【発明の効果】
【００１０】
上述したように本発明のチリトリは、ガイド溝に設けられているハンドル上方に移動させると、紐の作用により籠の下方が上方に移動することにより、ゴミ取入れ口下方になり手を汚さずにゴミを外部に簡単に処理することができる。
【００１１】
また、特に籠の底部は常に色々なゴミと接触するため不衛生的であつたが.手を一切触れることなく容易にゴミ等を処理でき非常に衛生的である。
【００１２】
さらに、籠が回動可能に左右両側面に突出して取り付けられているアーム両側面の幅よりも籠下方左右両側面の幅を広く設けることにより、壁等の側面に籠下方側面が密着可能になり隅のゴミ等を綺麗に掃除できるようになる。
【００１３】
また、特に腰や膝等の悪い人々の場合いでも特に屈む必要もなく、立った状態でハンドルを上下方向に移動させるだけで簡単にゴミの処理ができる。
【００１４】
また、機能付きのチリトリであるが、製造コストも安価である。
【発明を実施するための最良の形態】
【００１５】
以下、本発明の実施の形態を図１から図９に基づいて説明する。
【００１６】
図１は.ガイド溝６，７を設けたポール２，３下方の左右両側面には、籠１４を取り付けるためのアーム１２を止め具で固着して設けており、そして、アーム１２の左右下方先端部の取付部２８を籠１４左右両側面２１に回動可能に取り付けられている。また、籠１４に支持軸３４で回動可能に取り付けられている蓋１５は、さらに、ポール２，３下方とアーム１３を蓋１５の取り付け用穴１６に連動できるよう取り付けられている。そして、ハンドル９，１０に設けられている紐２０の取付部２９，３０に紐２０を取り付けて図２，３に示されている上方開口部２５より紐２０取付部２９，３０をガイド溝６，７に挿入し、取手１を固着３５しており、紐２０はガイド溝６，７を介して図９に示されている籠１４上面の紐２０の取付部２７に回動可能に設けられ、前記ポール２，３に設けられているハンドル９，１０を上方に移動させると紐２０の作用により籠１４の下方が上方に持ち上がることにより籠１４のゴミは簡単に処理することが可能となる。
【００１７】
上記ポール２と３のポールとガイド溝６，７及びハンドル９，１０の違いに付いて説明すると、まず、ガイド溝６設けられている２のポールは、図２のＡ‐Ａ’横中央断面拡大図と、図４に示されているＢ−Ｂ’方向図の通り円筒形状のポール２にガイド溝６を一箇所設けられており、そして紐２０取付部２９を設けたハンドル９の取付部２９に紐２０設けて上部開口部２５よりガイド溝６に挿入し、取手を固着２５しており、紐２０はガイド溝を介して下方開口部２６から図１に示されている籠１４上面の取付部２７に設けられている。
【００１８】
また、３のポールは、図３に示されているＡ‐Ａ’横中央断面拡大図と、図５に示されているＢ−Ｂ’方向図の通り円筒形状のポールにガイド溝７を二箇所設けられており、そして紐２０取付部３０を設けたハンドル１０の取付部３０に紐２０設けて上方開口部２５よりガイド溝７に挿入し、取手を固着２５しており、紐２０はガイド溝７を介して下方開口部２６から図１に示されている籠１４上面の取付部２７に設けられている。
【００１９】
図２は、図１のＡ−Ａ’横中央断面拡大図である。円筒形状のポール２に図４に示されている通りガイド溝６を一箇所だけ設け、紐２０の取付部２９を設けたハンドル９の取付部２９に紐２０を取り付け紐２０と取付部２９をポール２上方開口部２５よりガイド溝６挿入し、図１に示されている取手１を固着し、紐２０はガイド溝６を介して下方開口部２６から図１に示されている籠１４上面の取付部２７に設けられている。
【００２０】
図３は、図１のＡ−Ａ’横中央断面拡大図である。円筒形状のポール３に図５に示されている通りガイド溝７を二箇所設け、紐２０の取付部２９を設けたハンドル９の取付部２９に紐２０を取り付け紐２０と取付部２９をポール２上方開口部２５よりガイド溝７挿入し、図１に示されている取手１を固着し、紐２０はガイド溝７を介して下方開口部２６から図１に示されている籠１４上面の取付部２７に設けられている。
【００２１】
図４は、図１のガイド溝６一箇所だけ設けたポール２のＢ‐Ｂ’部分横中央断面拡大図である。ハンドル９に設けられている取付部２９に紐２０を取り付けたガイド溝６と紐２０の断面を示している図である。
【００２２】
図５は、図１のガイド溝７二箇所設けたポール３のＢ‐Ｂ’部分横中央断面拡大図である。ハンドル１０に設けられている取付部３０に紐２０を取り付けたガイド溝７と紐２０の断面を示している図である。
【００２３】
図６は.ポール５下方の左右両側面には、籠１４を取り付けるためのアーム１２を止め具で固着して設けており、そして、アーム１２の左右下方先端部の取付部２８を籠１４左右両側面２１に回動可能に取り付けられている。また、籠１４に支持軸３４で回動可能に取り付けられている蓋１５は、さらに、ポール５下方とアーム１３を蓋１５の取り付け用穴１６に連動できるよう取り付けられている。そして、ハンドル１１に設けられている紐２０を取付部３１の取り付け用穴１７に紐２０を通して下方の取付部３１の取り付け用穴１８に再度紐２０を通して図９に示されている籠１４上面の紐２０の取付部２７に回動可能に設けられ、前記ポール５設けられているハンドル１１を上方に移動させる紐２０の作用により籠１４の下方は上方に移動することにより顔１４のゴミ等を簡単に処理できるチリトリである。
【００２４】
図７は、図６のＡ−Ａ’部分横中央断面拡大図である。紐２０取り付け用穴１７，１８と取付部３１、３２を二箇所設けたハンドル１１を円筒形状のポール５の外周に上方より挿入し、図６に示されている取手１を固着３５し、紐２０はポール５の取り付け用穴１７，１８を介して下方２６から図６に示されている籠１４上面の取付部２７に設けられている。尚、ハンドル１１は適宜に位置止まる必要があり、そのための位置に下方移動防止用のストッパー２４を設けている。
【００２５】
図８は、ハンドル１１に紐２０取り付け用穴１７を設けた取付部３１に紐２０を通し、上方よりポール５にハンドル１１の内側をポールを挿入し、円筒形状のホール５と紐２０断面を示す図６のＢ-Ｂ’方向を示す拡大図である。
【００２６】
図９は、図１及び２に示されている籠１４の上面に設けられている紐２０取り付け用の取付部２７の拡大斜視図である。取付部２７はリベット３６で籠１４に固着している。取り付け用穴１９に紐２０を支持軸３３で回動可能に設けられている。
【００２７】
上記記載の構成より成るチリトリである。記載されているポールは円筒形状であるが、ポール５の場合は円筒形状でなく、円柱形状でも可能であるが、チリトリ本体を軽くする手段として円筒形状を表記したが、出来ればハンドル１１は上下方移動可能であり、かつ、ポー外周回転不可能な形状が好ましく、ホール５の形状は限定されない。また、ガイド溝６，７を設けた円筒形状のポール２，３も同様に、中空体でありガイド溝６，７を設けられる形状であれば良く限定するものではない。さらに、使用する材料も金属に限定するものではない。
特に、籠上面に設けられる紐の取付部の場合はプラスチック成型で一体化して設けることが好ましいが、限定するものではない。さらに、使用される紐の材質や形状等も使用目的可能で有れば良く限定するものではなく、また、ポール２，３，５に止め具で固着して設けられている籠吊り下げ用のアームの場合も、一体化して設けることも可能であり限定するものではない。
【産業上の利用可能性】
【００２８】
本発明の活用例としては、特に清掃業者は、室内の床掃除の場合、何回となくチリトリ籠のゴミ処理をしなくては成らず、その度ごとに籠の下方を手で持ち上げて処理しているのが現状である。特に屋外の場合、落ち葉の季節になると、籠の下方を上方に持ち上げる回数も大変であると同時に、その分作業時間も当然必要であるが、本チリトリを使用することにより、作業時間が短宿可能になると共に、特に足腰に持病等が有る人々には、屈める必要もなく立った状態でゴミ処理が可能に成り大いに貢献可能なチリトリである。
【図面の簡単な説明】
【００２９】
【図１】図１は、本発明の実施例１を示す側面図である。
【図２】図２は、図１のポール２のＡ-Ａ’部分横中央断面拡大図である。
【図３】図３は、図１のポール３のＡ-Ａ’部分横中央断面拡大図である。
【図４】図４は、図１のポール２の一部断面を示すＢ-Ｂ’方向拡大図である。
【図５】図５は、図１のポール３の一部断面を示すＢ-Ｂ’方向拡大図である
【図６】図６は、本発明の実施例２を示す側面図である。
【図７】図７は、図６のポール５のＡ-Ａ’部分横中央断面拡大図である。
【図８】図８は、図６のポール５の一部断面を示すＢ-Ｂ’方向拡大図である
【図９】図９は、図１及び図２の上面紐取付部の拡大斜視図である。
【符号の説明】
【００３０】
取手部        １
ポール        ２，３，５
ガイド溝      ６，７
ハンドル      ９，１０，１１
アーム        １２，１３  
籠            １４
蓋            １５
取り付け用穴  １９，１７，１８，１９
紐            ２０
側面          ２１，２２
止め具        ２３
スットパ      ２４
開口部        ２５，２６
取付部        ２７，２８，２９，３０，３１，３２
支持軸        ３３，３４
固着          ３５
リベット      ３６
方向          上方、下方、  Ａ-Ａ’,  Ｂ-Ｂ’
【図３】
2011120769.tif 000003
【図４】
2011120769.tif 000004
【図５】
2011120769.tif 000005
【図６】
2011120769.tif 000006
【図７】
2011120769.tif 000007
【図８】
2011120769.tif 000008
【図９】
2011120769.tif 000009
【図１】
2011120769.tif 000010
【図２】
2011120769.tif 000011
【手続補正書】
【提出日】平成22年4月23日(2010.4.23)
【手続補正１】
【補正対象書類名】特許請求の範囲
【補正対象項目名】請求項１
【補正方法】変更
【補正の内容】
【請求項１】
籠14に蓋15を上下回動可能に取り付けたチリトリ本体と、籠14上下回動可能に吊り下げるアーム12を前後回動に取り付けたポール３と、ガイド溝７を二ヶ所設けたポール３に沿って上下回動可能なハンドル10と、ハンドル１０と籠１４の上面との間に架け渡した紐20と、蓋１５とポール3上部との間に架け渡したアーム１３とより構成し、前記ハンドル１０をポール３に沿って下方から上方へ移動させたとき紐２０に引っぱられて籠１４が上方へ回動し蓋１５が開く構成としたチリトリであって、ハンドル１０と上面との間に架け渡した前記紐２０は、ポール３の中に挿通されており、さらに、前記アーム１２の両側面の幅よりも籠１４下方左右側面２２の幅を広く設けたことを特徴としたチリトリ。
【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
籠14に蓋15を上下回動可能に取り付けたチリトリ本体と、籠１４の上方左右側面２１の取付部２８に設けて籠14を上下回動可能に吊り下げるアーム12を前後回動に取り付けたポール３と、ガイド溝７を二ヶ所設けたポール３に沿って上下移動可能なハンドル10と、ハンドル１０と籠１４の上面との間に架け渡した紐20と、蓋１５とポール3上部との間に架け渡したアーム１３とより構成し、前記ハンドル１０をポール３に沿って下方から上方へ移動させたとき紐２０に引っぱられて籠１４が上方へ回動し蓋１５が開く構成としたチリトリであって、ハンドル１０と籠１４の上面との間に架け渡した前記紐２０は、ポール３の中に挿通されており、さらに、前記アーム１２の両側面の幅よりも籠１４下方左右側面２２の幅を広く設けたことを特徴としたチリトリ。